(57)【要約】【課題】ユーザの視認に好適な番組表を作成する電子機器及び番組表作成方法を提供することを課題とする。【解決手段】電子機器は、受信手段と、キーワード設定手段と、作成手段とを具備する。受信手段は、番組関連情報を受信する。キーワード設定手段は、キーワードの設定を行う。作成手段は番組関連情報に基づいて番組表を作成する作成手段であって、前記キーワード設定手段にて設定されたキーワードと関連性の低い番組欄を視認性の低い画像とするように番組表を作成する。【選択図】図４
2012160916.tif 000002
【特許請求の範囲】
【請求項１】
番組関連情報を受信する受信手段と、
キーワードの設定を行うキーワード設定手段と、
番組関連情報に基づいて番組表を作成する作成手段であって、前記キーワード設定手段にて設定されたキーワードと関連性の低い番組欄を視認性の低い画像とするように番組表を作成する作成手段と、
を具備する電子機器。
【請求項２】
前記番組関連情報から、前記キーワードと関連するテキスト情報が含まれる番組を抽出する抽出手段をさらに具備し、前記作成手段は前記抽出手段が抽出した番組に基づいて、前記キーワード設定手段にて設定されたキーワードと関連性の低い番組欄を視認性の低い画像とするように番組表を作成する請求項１記載の電子機器。
【請求項３】
前記作成手段が作成した番組表を表示する表示手段を更に具備する請求項１記載の電子機器。
【請求項４】
前記番組表作成手段は、前記電子機器が起動すると、前記番組表を作成する請求項１記載の電子機器。
【請求項５】
前記番組表の表示が終了した後、前記キーワードと関連性の高い番組にチャンネルを切り換える切換手段を更に具備する請求項１記載の電子機器。
【請求項６】
前記キーワードをキーワード情報として記憶する記憶手段を更に具備し、
前記キーワード設定手段は前記キーワード情報を自動的に更新する請求項１記載の電子機器。
【請求項７】
キーワードの設定を行い、
番組関連情報を受信し、
受信した番組関連情報に基づき、設定された前記キーワードと関連性の低い番組欄を視認性の低い画像とするように番組表を作成する番組表作成方法。
【発明の詳細な説明】
【技術分野】
【０００１】
本発明の実施形態は電子機器および番組表作成方法に関する。
【背景技術】
【０００２】
一般的なデジタルテレビ等の電子機器は、放送波として受信した放送に関する情報に基づいて番組表を作成する機能を有している。
【０００３】
この番組表の表示形態として、様々なものが提案されている。
【先行技術文献】
【特許文献】
【０００４】
【特許文献１】特開２００３−２１９２９８号公報
【発明の概要】
【発明が解決しようとする課題】
【０００５】
番組表の表示形態として、番組表内の一部の番組について表示を目に付く形態として番組表を表示するものが有る。このような表示を行っている場合、この一部の目に付く形態で表示される番組が増えてしまうと、番組表の表示が煩雑となりユーザにとって見にくいものとなってしまう可能性がる。
【０００６】
本発明は上記に鑑みたものであって、ユーザの視認に好適な番組表を作成する電子機器及び番組表作成方法を提供することを課題とする。
【課題を解決するための手段】
【０００７】
実施形態にかかる電子機器は、受信手段と、キーワード設定手段と、作成手段とを具備する。受信手段は、番組関連情報を受信する。キーワード設定手段は、キーワードの設定を行う。作成手段は番組関連情報に基づいて番組表を作成する作成手段であって、前記キーワード設定手段にて設定されたキーワードと関連性の低い番組欄を視認性の低い画像とするように番組表を作成する。
【図面の簡単な説明】
【０００８】
【図１】実施形態におけるＤＴＶの内部構造の一例を示すブロック図。
【図２】実施形態におけるＤＴＶの一部の機能の機能構成の一例を示すブロック図。
【図３】実施形態におけるＤＴＶに表示された番組表の一例を示す概念図。
【図４】実施形態における番組表の作成に関する処理の一例を示すフロー図。
【発明を実施するための形態】
【０００９】
本発明に関する実施の形態の一例を、以下で図面を参照しながら説明する。
【００１０】
図１は本実施形態におけるＤＴＶ１の内部構造の一例を示すブロック図である。
【００１１】
ＤＴＶ１は例えばデジタルテレビ（Digital Television）であって、本実施形態における電子機器の一例である。本実施形態では電子機器の一例としてＤＴＶ１を示すが、これに限定されるものではなく、例えばＤＶＤ（Digital Versatile Disc）プレーヤ、ＨＤＤ（Hard Disk Drive）プレーヤ、ＳＴＢ（Set Top Box）、又はＰＣ（Personal Computer）等の様々なものが電子機器の例として考えられる。
【００１２】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。また、制御部１５６は不揮発性の半導体記憶装置であるフラッシュメモリ１５９を有しており、ここには各種データや設定値等を格納することができる。
【００１３】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が番組表を生成するときに使用する情報であるＰＳＩ／ＳＩ（Program Specific Information / Service Information）等の番組関連情報等を含む、放送波の放送番組に関する情報に関するデジタル信号である。この番組関連情報には、放送番組のタイトル、この番組の詳細情報、番組開始時刻、番組終了時刻等の情報が含まれている。
【００１４】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号、データ信号等に復号した後、信号処理部１００にこれを出力する。
【００１５】
ＤＴＶ１は、一例として、アンテナ１４８が接続される入力端子１４９にＣＡＴＶ（Common Antenna Television）用のチューナを接続することによってＣＡＴＶも視聴することができる。
【００１６】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、ライン入力端子１３７からの入力信号にも所定のデジタル信号処理を施す。
【００１７】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００１８】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００１９】
映像処理部１５５は、グラフィック処理部１５２から出力された信号に対して画質の補正を行った上で、表示部処理部１５５で表示可能なフォーマットのアナログ映像信号に変換する。映像処理部１５５でアナログに変換された映像信号は、表示部１２０に表示される。
【００２０】
表示部１２０はＬＣＤ（Liquid Crystal Display）によって構成されており、液晶によって画像を表示する。バックライト１２１は表示部１２０を後方より照射する。また、バックライト１２１は照射する光の強さまたは照射時間によって、表示する映像の輝度を調整することが可能である。
【００２１】
音声処理部１５３は、入力された音声信号を、スピーカ１１０で再生可能なフォーマットのアナログ音声信号に変換する。アナログに変換された音声信号は、スピーカ１１０に出力されて再生される。
【００２２】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ（Local Area Network）対応ポートとして使用される。本実施形態においてＬＡＮ端子１３１にはＬＡＮケーブルが接続されており、インターネット３と通信可能となっている。
【００２３】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２４】
ＨＤＤ１７０はＤＴＶ１に内蔵される磁気記憶媒体であってＤＴＶ１が有する各種情報を記憶する機能を有している。
【００２５】
本実施形態におけるＤＴＶ１はユーザからキーワードを取得し、このキーワードに基づいて番組表を作成して表示する。以下ではこれらの処理について説明を行う。
【００２６】
図２は本実施形態におけるＤＴＶ１の一部の機能の機能構成の一例を示すブロック図である。
【００２７】
制御部１５６が有するキーワード設定部２１はユーザにキーワードを設定させる機能を有している。キーワード設定部２１はキーワードを入力する画面であるキーワード入力画面を作成して、ＯＳＤ信号生成部１５４にこの画面の情報を入力することで、表示部１２０にキーワード入力画面を表示させる。ユーザは、このキーワード入力画面に基づいて、ＤＴＶ１にキーワードを入力することができる。キーワードが入力（確定）されると、キーワード設定部２１はフラッシュメモリ１５９にキーワード情報２２として入力されたキーワードを格納する。
【００２８】
キーワード情報２２はユーザが入力した単数又は複数のキーワード群である。ここでのキーワードとしては、例えば「ニュース」、「スポーツ」、「バラエティ」等のカテゴリの情報であっても良いし、より詳細な情報であっても良い。例えば「スポーツ」としてのより詳細な情報としては「サッカー」、「ワールドカップ」、「○○選手」等のキーワードが考えられる。
【００２９】
番組表作成部２３は表示部１２０に表示する番組表を作成する機能を有している。番組表作成部２３は信号処理部１００から入力するデータ信号の番組関連情報に基づいて番組表の画像を作成して、ＯＳＤ信号生成部１５４にこの画面の情報を入力することで、表示部１２０に番組表を表示させる。また番組表作成部２３は、番組表のうち所定の番組欄を視認性の低い画像として作成する。ここでの視認性の低い画像とは、例えば番組欄の色をグレーとする（グレー表示）、番組欄の透過性を上げる、番組欄の明るさを暗くする、使用している色の彩度を低いものとする、欄の外郭や文字の線を細くする等の処理が施された画像を指す。上記の視認性の低い画像の例はあくまで例示であり、本実施形態における視認性の低い画像とはこれらに限定されない。
【００３０】
関連番組抽出部２４は信号処理部１００より番組関連情報を受信し、受信した番組関連情報とフラッシュメモリ１５９内に格納されるキーワード情報２２とを照合し、番組関連情報中にキーワードと対応するテキスト情報が存在するか否かを判別する。番組関連情報中にキーワードと対応するテキスト情報が存在する場合には、関連番組抽出部２４はキーワードと対応する情報を有している番組を抽出し、この番組の情報を番組表作成部２３に対して送信する。この番組の情報を受信した番組表作成部２３は、この番組の番組欄を視認性の低い画像ではない画像として番組表の画像を作成する。また、関連番組抽出部２４は抽出された番組が現在放送中の番組であるか否かの判別を行い、現在放送中の番組である場合にはこの番組のチャンネル情報をラストチャンネル設定部２５に対して送信する。
【００３１】
ラストチャンネル設定部２５は関連番組抽出部２４から受信するチャンネル情報にもとづいて、設定されているラストチャンネルを変更する機能を有する。ここでのラストチャンネルとはユーザが前回（最も最近）視聴したチャンネルを指す。一般的には、ＤＴＶ１は起動後又は画面全体でのＯＳＤの表示を解除した後にはこのラストチャンネルを表示する場合が多い。
【００３２】
次に、本実施形態においてＤＴＶ１が表示する番組表について説明を行う。
【００３３】
図３は本実施形態におけるＤＴＶ１に表示された番組表の一例を示す概念図である。
【００３４】
図３には表示部１２０、番組表３０１、現在時刻３０２、放送時刻表示欄３０３、チャンネル情報表示欄３０４、および番組欄３０５が示されている。
【００３５】
番組表３０１は現在および現在以後に放送される番組を表示した番組表であり、表示部１２０の横方向に放送局の各局が並べられて表示されており、縦方向には上から下へと時間経過に沿った、それぞれの時間帯に放送されている番組が並んで表示されている。番組表３０１は表示部１２０の全体に表示されている。表示部１２０の右上には、現在の時刻を示す現在時刻３０２が表示されている。
【００３６】
放送時刻表示欄３０３は番組の放送時間を示しており、時間の流れに従い上から下へと１時間毎に区切って表示されている。この放送時刻表示欄３０３は本実施形態における例示であり区切り時間や時間経過を示す方向などは自由に選択してもよい。
【００３７】
チャンネル情報表示欄３０４は各放送局の情報を表示する表示欄である。本実施形態でのチャンネル情報表示欄３０４には放送局名、割当チャンネル、および３桁チャンネルが示されている。
【００３８】
番組欄３０５には上方向に存在する番組情報表示欄３０４に示されている放送局の、横方向に示されている時間に放送する番組の情報が記述されている欄である。ここに示されている情報は放送波より取得したデータ信号として記述されていた番組関連情報の一部が示されている。本実施形態においてデータ信号のような放送番組に関する情報は放送波より取得するものとして例示するが、これには限定されず、例えばＬＡＮ Ｉ／Ｆ１６４等を介してインターネット３等から取得されるものとしてもよい。
【００３９】
番組欄３０５には、キーワード非関連番組欄３０６とキーワード関連番組欄３０７の２種類が存在する。キーワード非関連番組欄３０６はキーワード情報２２のキーワードと関連しない番組を示す番組欄であり、この番組欄は視認性の低い画像にて表示されている。キーワード関連番組欄３０７はキーワード情報２２のキーワードと関連する番組を示す番組欄であり、この番組欄は視認性の低い画像ではない通常の画像にて表示されている。
【００４０】
番組表３０１ではキーワードに関連している番組の番組欄であるキーワード関連番組欄３０７と、関連していない番組の番組欄であるキーワード非関連番組欄３０６とが異なる表示形態として表示されているため、ユーザは番組表を見たとき入力したキーワードに関連する番組を一見して把握することができる。
【００４１】
次に、本実施形態においてＤＴＶ１が実行する処理フローについて説明を行う。
【００４２】
図４は本実施形態における番組表の作成に関する処理の一例を示すフロー図である。
【００４３】
まず、ＤＴＶ１が起動すると（ステップＳ４０１）、制御部１５６の番組表作成部２３及び関連番組抽出部２４は信号部１００より番組関連情報を取得する（ステップＳ４０２）。
【００４４】
ステップＳ４０２の終了後、番組表作成部２３は取得した番組関連情報に基づいて番組表を作成する。このとき番組表作成部２３は全体をユーザにとって視認性の低い画像であるグレー表示に設定する（ステップＳ４０３）。
【００４５】
次に、関連番組抽出部２４はキーワード情報２２のキーワードと、番組関連情報のテキスト情報との間で対応する（又は一致する）テキストを検出する。
【００４６】
関連番組抽出部２４はキーワード情報２２よりキーワード数を取得する。そしてキーワード数をカウンターｎとし、対応する情報を番組関連情報内から抽出する対象のキーワードのキーワード番号をｍとする（ステップＳ４０４）。
【００４７】
まず、関連番組抽出部２４は現在のカウンターｎが０であるか否かを判別する（ステップＳ４０５）。
【００４８】
カウンターｎが０でないとき（ステップＳ４０５：Ｎｏ）、関連番組抽出部２４はキーワード番号ｍのキーワードをキーワード情報２２より取得する（ステップＳ４０６）。
【００４９】
次に関連番組抽出部２４は、取得したキーワード番号ｍのキーワードにもとづいて、番組関連情報の中から当該キーワードに対応するテキストを検索する（ステップＳ４０７）。
【００５０】
ステップＳ４０７での検索結果で、該当する（対応した）テキストが存在する場合（ステップＳ４０８：Ｙｅｓ）、関連番組抽出部２４はこの番組及びキーワードを記憶し、番組の情報を番組表作成部２３に入力する。キーワードと対応する番組の情報を受けた番組表作成部２３は、該当する番組の番組欄をグレー表示から通常表示へと変更する（ステップＳ４０９）。ステップＳ４０９の終了後、処理はステップＳ４０７に戻る。
【００５１】
ステップＳ４０７での検索結果で、該当するテキストが存在しない場合（ステップＳ４０８：Ｎｏ）、関連番組抽出部２４はカウンターｎの値をデクリメントし、キーワード番号ｍの値をインクリメントする（ステップＳ４１０）。ステップＳ４１０の終了後、処理はステップＳ４０５に戻る。
【００５２】
ステップＳ４０５において、カウンターｎが０であるとき（ステップＳ４０５：Ｎｏ）、関連番組抽出部２４はキーワード情報２２と番組関連情報との照合を終了し、番組表作成部２３は作成した番組表を表示部１２０に表示させる（ステップＳ４１１）。
【００５３】
次に、関連番組抽出部２４は制御部１５６の有すＲＴＣ（Real Time Clock）（図示しない）より現在時刻の情報を取得する（ステップＳ４１２）。
【００５４】
現時時刻の情報を取得すると、関連番組抽出部２４はキーワード対応する番組であるとして記憶している番組の中から現在放送中の番組が存在するかを検索する（ステップＳ４１３）。
【００５５】
ステップＳ４１３で該当する番組が存在する場合には（ステップＳ４１４：Ｙｅｓ）、関連番組抽出部２４はこの番組のチャンネルの情報をラストチャンネル設定部２５に入力し、ラストチャンネル設定部２５はこのチャンネルをラストチャンネルに設定する（ラストチャンネルを変更する）（ステップＳ４１５）。ステップＳ４１４において、該当する番組が１つであった場合には、関連番組抽出部２４はラストチャンネル設定部２５に、この番組のチャンネルにラストチャンネルを変更させる。該当する番組が複数であった場合には、関連番組抽出部２４はこの番組がキーワードによる検索に何回該当したかに基づいて、ラストチャンネルを変更する。つまり、関連番組抽出部２４は現在放送している番組の中でキーワード検索に該当した回数が一番多い番組のチャンネルに、ラストチャンネルを変更させる。キーワード検索に該当した回数が多い番組は、一般的にユーザの関心が高い番組であると考えられるため、現在放送中であってキーワードに該当した番組うち、ラストチャンネルに設定するのに適しているものと考えられる。
【００５６】
ＤＴＶ１は、番組表の表示を終了するとラストチャンネルに設定されているチャンネルを表示する。ステップＳ４１５でラストチャンネルがキーワードに関連した番組のチャンネルに設定されている場合、ユーザはキーワードに関連する番組を番組表の表示終了後にすぐに視聴することできる。つまり、ユーザは関心の高い番組を番組表の表示終了後にすぐに視聴することできる。
【００５７】
ステップＳ４１４において該当する番組がない場合（ステップＳ４１４：Ｎｏ）、またはステップＳ４１５の終了後、一連の処理フローは終了となる。
【００５８】
本実施形態におけるキーワード設定部２１はユーザから入力されるキーワードの設定の他に、自動的にキーワードの設定／変更を行う機能を有している。キーワード設定部２１は図４のステップＳ４０９において関連番組抽出部２４が記憶した、番組と関連があったキーワードと、ユーザの視聴履歴に基づいて、自動的にキーワードの設定／変更を実行する。キーワード設定部２１は番組と関連があったキーワードを参照して、キーワード情報２２中の該当した番組（関連する番組）の少ないキーワードを検出する。そしてキーワード設定部２１は、番組の視聴履歴に基づいて、ユーザの視聴番組の番組関連情報の中でよく利用されているテキスト情報を抽出する。キーワード設定部２１は、該当番組の少ないキーワードについては、ユーザの関心の高い番組を抽出するのに重要性の低いキーワードであると判別し、ユーザの視聴番組の中でよく利用されているテキストについてはユーザの関心の高い番組を抽出するのに重要性の高いキーワードであると判別する。そして、キーワード設定部２１は、該当番組の少ないキーワードを削除し、変わりに視聴番組の中でよく利用されているテキストをキーワードとして追加する。これによりＤＴＶ１は、キーワードの情報をより重要と考えられる情報へと更新することができ、さらにユーザの嗜好の変化にも柔軟に対応することができる。また、本実施形態ではそれぞれのキーワードを削除、追加するものとしたが、これに限定されず、削除のみ／追加のみをそれぞれ行うとしてもよい。
【００５９】
また、本実施形態においては、ＤＴＶ１の起動直後に番組表を作成・表示するものとして例示したが、これに限定されない。例えば、番組表の表示を希望するユーザからの指示を受けたとき、ステップ４０２以降の処理を実行してもよい。また、ＤＴＶ１は起動直後の番組表の表示機能をＯＮ／ＯＦＦを切り替えることができ、例えばＯＳＤ等によってユーザに切換の選択方法を提供するとしても良い。
【００６０】
本実施形態におけるＤＴＶ１は、番組表においてユーザの設定したキーワードと関連の低い番組の番組欄を視認性の低い表示形態として作成するため、番組表が煩雑で見にくいものとらず、ユーザの視認に好適なものとなる。
【００６１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６２】
１…ＤＴＶ、３…インターネット、１１０…スピーカ、１２０…表示部、１００…信号処理部、１１６…操作部、１１７…リモートコントローラ、１１８…受光部、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カメラ、１６４…ＬＡＮ  Ｉ／Ｆ、１６６…ＵＳＢ  Ｉ／Ｆ、２１…キーワード設定部、２２…キーワード情報、２３…番組表作成部、２４…関連番組抽出部、２５…ラストチャンネル設定部、３０１…番組表、３０２…現在時刻、３０３…放送時刻表示欄、３０４…チャンネル情報表示欄、３０５…番組欄、３０６…キーワード非関連番組欄、３０７…キーワード関連番組欄。
【図１】
2012160916.tif 000003
【図２】
2012160916.tif 000004
【図３】
2012160916.tif 000005
【図４】
2012160916.tif 000006